(57)【要約】情報システムおよび複数のオブジェクトを有する展示物と共に使用するよう適合された注釈付けプロダクトは、情報システム（９１）に信号接続されたイメージャ（１１）を有し、複数のオブジェクトからオブジェクト（８１）を表す（３３）コード（３１）を有する。イメージャはいくつかのコードからの光（３２）をまとめて検出し、情報システムにいくつかのオブジェクトのうちの少なくとも１つを表す表示信号（１２）を送る。情報システムはその後、表示信号によって表わされたオブジェクトについてのデータをディスプレイ（２１）に出力させるために注釈信号（２２）を送る。
2004507811.tif 000002
【特許請求の範囲】
【請求項１】
情報システムおよび複数のオブジェクトと共に使用される注釈付けプロダクトであって、
イメージャと、
前記イメージャは視野を有することと、
前記視野は３つの直交軸に沿って延びることと、
複数のコード化データソースと、
前記複数のコード化データソースのうちのいくつかのコード化データソースは、前記視野内で空間的に分かれていることと、
前記いくつかのコード化データソースからの光はイメージャによりまとめて検出されることと、
前記いくつかのオブジェクトからの第１のオブジェクトと、
前記いくつかのコード化データソースからの第１のコード化データソースと、
前記第１のコード化データソースからの光は第１のオブジェクトを表わすことと、
第１の表示信号と、
前記第１の表示信号は、第１のコード化データソースからの光がイメージャで選択させた時に生成されることと、
前記第１の表示信号は第１のオブジェクトを表わすことと、
前記第１の表示信号はイメージャにより出力されることと、
前記第１の表示信号は情報システムに入力されることと、
第１のオブジェクトに関連する第１の注釈データと、
前記第１の注釈データは情報システムに利用可能であることと、
情報システムにより出力される第１の注釈信号と、
前記第１の注釈信号は第１の表示信号により生成されることと、
前記第１の注釈信号は第１の注釈データを表すことと、
ディスプレイと、
前記ディスプレイは前記第１の注釈信号を受け取ることと、
前記ディスプレイは前記注釈信号により第１の注釈データを出力するようにされることと、から成るプロダクト。
【請求項２】
イメージャは私的イメージャであり、
前記複数のコード化データソースからのオブジェクトメンバーに、複数のオブジェクトコード化データソースがメンバーごとに対応し、
第１のコード化データソースは、複数のオブジェクトコード化データソースからの第１のオブジェクトコード化データソースであり、
第１のオブジェクトコード化データソースからの光が、第１のオブジェクトコード化データソースの表示を選択するために私的イメージャに入力されたデータにより選択される、請求項１に記載のプロダクト。
【請求項３】
イメージャは公的イメージャであり、
複数の人コード化データソースは、メンバーごとに、複数のコード化データソースからの人メンバーに対応し、
第１のコード化データソースは、複数の人コード化データソースから第１の人コード化データソースであり、
第１の人コード化データソースからの光は、第１のコード化データソースの第１のアラインメントが設定時間維持された時にイメージャで選択され、第１のアラインメントは第１のオブジェクトとの交差により第１のオブジェクトを表わす、請求項１に記載のプロダクト。
【請求項４】
複数のオブジェクトコードは、メンバーごとに、複数のコード化データソースからのオブジェクトメンバーに対応し、
視野内のいくつかのコード化データソースは、第１のオブジェクトコード化データソースを含み、
表示信号は第１のオブジェクトコンポーネントを有し、
第１のオブジェクトコンポーネントは、位置的に、第１のオブジェクトコード化データソースを表わす、請求項３に記載のプロダクト。
【請求項５】
ディスプレイが私的ディスプレイである、請求項１に記載のプロダクト。
【請求項６】
ディスプレイが公的ディスプレイである、請求項１に記載のプロダクト。
【請求項７】
表示信号が、第１のオブジェクトに関する第１の返答データを求める第１のクエリコンポーネントを有し、第１の注釈データは第１の返答データを表わす第１の返答コンポーネントを有する、請求項１に記載のプロダクト。
【請求項８】
情報システムおよび複数のオブジェクトと共に使用される注釈付けプロダクトであって、
私的イメージャ、
前記イメージャは視野を有することと、
前記視野は３つの直交軸に沿って延びることと、
複数のコード化データソースと、
前記複数のコード化データソースにメンバーごとに対応する、複数のオブジェクトコード化データソースと、
前記複数のコード化データソースのうちのいくつかのコード化データソースは、前記視野内で空間的に分かれていることと、
前記いくつかのコード化データソースからの光は私的イメージャによりまとめて検出されることと、
前記いくつかのオブジェクトからの第１のオブジェクトと、
前記いくつかのオブジェクトコード化データソースからの第１のオブジェクトコード化データソースと、
前記第１のオブジェクトコード化データソースからの光は第１のオブジェクトを表わすことと、
第１の表示信号と、
前記第１の表示信号は、第１のオブジェクトコード化データソースからの光が第１のオブジェクトコード化データソースの表示を選択するために私的イメージャに入力されたデータにより選択された時に、生成されることと、
前記第１の表示信号は第１のオブジェクトコードを表わすことと、
前記第１の表示信号は私的イメージャにより出力されることと、
前記第１の表示信号は情報システムへ入力されることと、
第１のオブジェクトに関連する第１の注釈データと、
前記第１の注釈データは情報システムに利用可能であることと、
情報システムにより出力される第１の注釈信号と、
前記第１注釈信号は第１の表示信号により生成されることと、
前記第１の注釈信号は第１の注釈データを表すことと、
ディスプレイと、
前記ディスプレイは前記第１の注釈信号を受け取ることと、
前記ディスプレイは前記注釈信号により第１の注釈データを出力するようにされることと、から成るプロダクト。
【請求項９】
ディスプレイが私的ディスプレイである、請求項８に記載のプロダクト。
【請求項１０】
ディスプレイが公的ディスプレイである、請求項８に記載のプロダクト。
【請求項１１】
表示信号が、第１のオブジェクトに関する第１の返答データを求める第１のクエリコンポーネントを有し、第１の注釈データは第１の返答データを表わす第１の返答コンポーネントを有する、請求項８に記載のプロダクト。
【請求項１２】
情報システムおよび複数のオブジェクトと共に使用される、注釈付けプロダクトであって、
公的イメージャと、
前記公的イメージャは視野を有することと、
前記視野は３つの直交軸に沿って延びることと、
前記複数のオブジェクトからのいくつかのオブジェクトは前記視野内で空間的に分かれていることと、
複数のコード化データソースと、
前記複数のコード化データソースからのいくつかのコード化データソースは視野内で空間的に分かれていることと、
前記いくつかのコード化データソースからの光は公的イメージャによりまとめて検出されることと、
前記複数のコード化データソースからの人メンバーにメンバーごとに対応する複数の人コード化データソースと、
前記いくつかのコード化データソースは、前記複数の人コード化データソースからのいくつかの人コード化データソースを含むことと、
前記いくつかの人コード化データソースからの第１の人コード化データソースと、
前記いくつかのオブジェクトからの第１のオブジェクトと、
第１の表示信号と、
前記第１の表示信号は、第１の人コード化データソースからの光が、第１のコード化データソースの第１のアラインメントが設定時間維持された時にイメージャで選択され、第１のアラインメントは第１のオブジェクトとの交差により第１のオブジェクトを表わすことと、
前記第１の表示信号は第１のオブジェクトを表すことと、
前記第１の表示信号は公的イメージャにより出力されることと、
前記第１の表示信号は情報システムに入力されることと、
第１のオブジェクトに関連する第１の注釈データと、
前記第１の注釈データは情報システムに利用可能であることと、
情報システムにより出力される第１の注釈信号と、
前記第１の注釈信号は第１の表示信号により生成されることと、
前記第１の注釈信号は第１の注釈データを表すことと、
ディスプレイと、
前記ディスプレイは前記第１の注釈信号を受け取ることと、
前記ディスプレイは前記注釈信号により第１の注釈データを出力するようにされることと、から成るプロダクト。
【請求項１３】
複数のオブジェクトコードは、複数のコード化データソースからのオブジェクトメンバーにメンバーごとに対応し、
いくつかのコード化データソースは、前記複数のオブジェクトコード化データソースからのいくつかのオブジェクトコード化データソースをさらに有し、
表示信号はオブジェクトコンポーネントを有し、
オブジェクトコンポーネントは、位置的に、いくつかのオブジェクトを表わす、請求項１２に記載のプロダクト。
【請求項１４】
ディスプレイが私的ディスプレイである、請求項１２に記載のプロダクト。
【請求項１５】
ディスプレイが公的ディスプレイである、請求項１２に記載のプロダクト。
【請求項１６】
表示信号が、第１のオブジェクトに関する第１の返答データを求める第１のクエリコンポーネントを有し、第１の注釈データは第１の返答データを表わす第１の返答コンポーネントを有する、請求項１２に記載のプロダクト。
【請求項１７】
情報システムおよび複数のオブジェクトと共に使用される注釈付けプロダクトであって、
公的イメージャと、
前記公的イメージャは視野を有することと、
前記視野は３つの直交軸に沿って延びることと、
前記複数のオブジェクトからのいくつかのオブジェクトは、前記視野内で空間的に分かれていることと、
複数のコード化データソースと、
複数のコード化データソースからのいくつかのコード化データソースは、前記視野内で空間的に分かれていることと、
前記いくつかのコード化データソースからの光は公的イメージャによりまとめて検出されることと、
前記複数のコード化データソースからの人メンバーにメンバーごとに対応する複数の人コード化データソースと、
前記いくつかのコード化データソースは、前記複数の人コード化データソースからのいくつかの人コード化データソース含むことと、
前記いくつかの人コード化データソースからの第１の人コード化データソースと、
前記いくつかのオブジェクトからの第１のオブジェクトと、
第１の表示信号と、
前記第１の表示信号は、第１の人コード化データソースからの光が第１のコード化データソースの第１のアラインメントが設定時間維持されることによりイメージャで選択された時に生成され、第１のアラインメントは第１のオブジェクトとの交差により第１のオブジェクトを表わすことと、
前記第１の表示信号は第１のオブジェクトを表わすことと、
前記第１の表示信号は公的イメージャにより出力されることと、
前記第１の表示信号は情報システムへ入力されることと、
前記複数のコード化データソースからのオブジェクトメンバーにメンバーごとに対応する複数のオブジェクトコードと、
前記いくつかのコード化データソースは、複数のオブジェクトコード化データソースからのいくつかのオブジェクトコード化データソースをさらに含むことと、
表示信号のオブジェクトコンポーネントと、
前記オブジェクトコンポーネントは、位置的に、いくつかのオブジェクトを表すことと、
第１のオブジェクトに関連した第１の注釈データと、
前記第１の注釈データは情報システムに利用可能であることと、
情報システムにより出力される第１の注釈信号と、
前記第１の注釈信号は第１の表示信号により生成されることと、
前記第１の注釈信号は第１の注釈データを表すことと、
ディスプレイと、
前記ディスプレイは前記第１の注釈信号を受け取ることと、
前記ディスプレイは前記注釈信号により第１の注釈データを出力するようにされることと、から成るプロダクト。
【請求項１８】
ディスプレイが私的ディスプレイである、請求項１７に記載のプロダクト。
【請求項１９】
ディスプレイが公的ディスプレイである、請求項１７に記載のプロダクト。
【請求項２０】
表示信号が、第１のオブジェクトに関する第１の返答データを求める第１のクエリコンポーネントを有し、第１の注釈データは第１の返答データを表わす第１の返答コンポーネントを有する、請求項１７に記載のプロダクト。
【発明の詳細な説明】
【０００１】
本願は、２０００年８月１８日に出願された米国仮出願第６０／２２６，１８３号、２０００年１０月１０日に出願された米国仮出願第６０／２３８，９５２号、および２０００年１２月１５日に出願された米国仮出願第６０／２５６，０８６号の利益を主張する。
【０００２】
注釈付けプロダクトは、情報システムおよびオブジェクトと共に使用されるものであるが、いくつかのコード化データソースからのからの光をまとめて検出するイメージャを介してオブジェクトが示された時に、そのオブジェクトについてのデータを提供する。
【０００３】
オブジェクトは、店頭のショーウィンドウ、店舗、美術館、博物館のオブジェクトの展示物や、個人の家や公共の場の日常オブジェクトのようなオブジェクトのように、様々な計画されたまたは無計画の配置であり得る。
【０００４】
図１はプロダクトを概略的に示している。
【０００５】
図２はコード化データソースからの光の例を示している。
【０００６】
注釈付けプロダクトは、情報システムおよび複数のオブジェクトと共に使用されるよう適合される。プロダクトは、情報システム９１に信号接続されたイメージャ１１と、複数のオブジェクト８１からのいくつかのオブジェクトを表わすコード化データソース３１と、示されたオブジェクトについての注釈データをディスプレイ２１を介して人に利用可能とする、情報システム９１からの注釈信号２２とを備え、複数のコード化データソース３１からの光３２はイメージャ１１により検出される。
【０００７】
ここで、および本明細書全体にわたって、「人」とは、自然人のみを意味し得るだけでなく、生物であったり無生物であったり、自主行動をとったり外部に刺激されたりし得る様々な存在を意味し得る。
【０００８】
イメージャ１１は、３つの直交軸の各々に沿って延びる視野を有している。複数のコード化データソースからのいくつかのコード化データソース（部材３１）は、視野内で空間的に分かれている。イメージャは、いくつかのコード化データソースからの光（部材３２）をまとめて検出する。
【０００９】
ここで、および本明細書全体にわたって、「光を検出する」とは、光の存在を検出するだけでなく、イメージャがデータを表わす表示信号を出力できるようにデータをコード化する、色帯４３のような光の特定の特性を検出することも意味する。いくつかのデータソースからの光のまとまった検出は、いくつかの空間的に分かれたバーコードからの光をまとめて検出できないバーコードリーダからイメージャを区別する。
【００１０】
複数のコード化データソースからの第１のコード化データソース（部材３１）からの光（例えば部材４１）は、いくつかのオブジェクトからの第１のオブジェクト（部材８１）を表わす。第１の表示信号（要素１２）は、第１のコード化データソースからの光がイメージャにより選択されている時に生じる。第１の表示信号はイメージャによって出力され、情報システムに入力される。人は、第１のコード化データソースからの光をイメージャにより選択させることができる。
【００１１】
第１のオブジェクトに関連する第１の注釈データが、情報システムに利用可能である。第１の表示信号は、情報システムに第１の注釈データを表す第１の注釈信号（要素２２）を出力させる。第１の注釈信号はディスプレイ２１に入力される。第１の注釈信号はディスプレイに第１注釈データを出力させる。ディスプレイは人が見ることができる。
【００１２】
イメージャは私的（ｐｒｉｖａｔｅ）イメージャであり得る。複数のオブジェクトコード化データソースは、符号３３により示された複数のコード化データソースからのオブジェクトメンバーにメンバーごとに対応する。第１のコード化データソースは、複数のオブジェクトコード化データソースからの第１のオブジェクトコード化データソースである。第１のオブジェクトコード化データソースからの光は、私的イメージャにより出力される第１のオブジェクトコード化データソースの表示を選択するために、私的イメージャに入力されるデータにより選択される。
【００１３】
私的イメージャは、情報システムに信号接続され得る、携帯電話やコンピュータのようなデバイスの一部であり得る。私的イメージャが第１のオブジェクトコード化データソースから光を検出すると、私的イメージャは第１のオブジェクトコード化データソースの表示を出力することができる。その後、この表示は、キーのストローク、スクリーンを軽く打つこと、コンピュータマウスのクリックのような様々なデータ入力手段のいずれかにより人が選択することができる。
【００１４】
イメージャは公的（ｐｕｂｌｉｃ）イメージャであってもよい。複数の人コード化データソースは、複数のコード化データソースからの人メンバーにメンバーごとに対応する。複数の人コード化データソースからの第１の人コード化データソースは第１のコード化データソースである。第１の人コード化データソースは、第１の人コード化データソースの第１のアラインメント（要素３３）が設定時間保持された時に、イメージャによって選択される。
【００１５】
この公的イメージャの場合、第１の人コード化データソース（例えば符号４１）はバンド４２，４４により定義することができる。第１のアラインメントは、第１軸が第１のオブジェクトと交差するように第１の人コード化データソースを操作することにより達成することができる。第１のアラインメントは、第１のオブジェクトとの交差により第１のオブジェクトを表わす。
【００１６】
公的イメージャの場合、複数のオブジェクトコード化データソースがやはり、複数のコード化データソースからのオブジェクトメンバーにメンバーごとに対応する。複数のオブジェクトコード化データソースは、メンバーごとに、別々に、複数のオブジェクトからの各オブジェクト（要素３３）を表す。
【００１７】
この場合、公的イメージャはさらに、いくつかのオブジェクトを表わすいくつかのオブジェクトコード化データソースからの光を検出することができる。表示信号は、オブジェクトを表わすオブジェクトコンポーネントを有することができる。したがって、オブジェクトが内部の力、外部の力、およびそれらの組み合わせの力であり得る力によって動かされた場合でさえも、情報システムは、第１のオブジェクトが第１のアラインメントによって示された時に、第１のオブジェクトのデータを有するだろう。
【００１８】
この場合、第１のアラインメントはまた、第１のオブジェクトを表わす第１のオブジェクトコード化データソースを示すために、第１の人コード化データソースを操作することによっても達成することができる。第１のオブジェクトコード化データソースは、例えば第１の人コード化データソースのカラーバンド４３の少なくとも１つの少なくとも一部を暗くすることにより、選択することができる。
【００１９】
情報システムは、２つ以上のそのようなアラインメント手段を使用できるように適合することができる。情報システムは、アラインメント手段のすべての様々な組み合せによってアラインメント手段が生成されるように適合することができる。
【００２０】
私的イメージャの場合、多くの人が私的イメージャを操作することができる。例えば、第１の人が第１の私的イメージャを操作して第１のオブジェクトを表わす第１の表示信号を生成することができると同時に、第２の人が第２の私的イメージャを操作して第２のオブジェクトを表わす第２の表示信号を生成することができる。第１の人と第２の人は、第１のオブジェクトと第２のオブジェクトでもあり得る同じオブジェクトを表す第１の表示信号と第２の表示信号を生成することができる。
【００２１】
第１の私的イメージャからの第１の表示信号は、第１の私的イメージャを表わす第１の人コンポーネントを有することができ、第２の私的イメージャからの表示信号は、第２の私的イメージャを表わす第２の人コンポーネントを有することができる。第１の人コンポーネントと第２の人コンポーネントは、ここでは、第１の注釈信号と第２の注釈信号に、第１の人に特に関連する第１の注釈データを表す第１の私的コンポーネントを有するようにさせ、第２の注釈信号に、第２の人に特に関連する注釈データを表す第２の人コンポーネントを有するようにさせる。
【００２２】
公的イメージャの場合、多くの人が多くの人コード化データソースを操作することができる。第１の人によってアラインされている第１の人コード化データソースは、第１の人を表す部分（例えば符号４３）を有することができ、第２の人によってアラインされている第２の人コード化データソースは、第２の人を表す類似してはいるが異なる部分を有することができる。
【００２３】
公的イメージャからの第１の表示信号は、第１の人を表わす第１の人コンポーネントを有することができ、公的イメージャからの第２の表示信号は、第２の人を表わす第２の人コンポーネントを有することができる。第１の人コンポーネントと第２のコンポーネントは、第１の注釈信号と第２の注釈信号に、第１の人に特に関連する第１の注釈データを表す第１の人コンポーネントを持たせることができ、第２の注釈信号に、第２の人に特に関連する第２の注釈データを表す第２の人コンポーネントを持たせることができる。
【００２４】
ディスプレイは、情報システムに信号接続され得る様々な形式のうちのいかなる形式を有することもできる。ディスプレイは、私的イメージャの場合でも公的イメージャの場合でも私的ディスプレイであってよい。私的ディスプレイは、携帯電話やコンピュータのような様々なデバイスのいずれであってもよい。ディスプレイは、公的イメージャの場合でも私的イメージャの場合でも公的ディスプレイであってよい。公的ディスプレイは多くの人によって知覚することができる大型ディスプレイであり得る。大型ディスプレイは、多くの人の各々に向けられた注釈データを示し得る。公的ディスプレイは、ディスプレイが、ある人と、その人の知覚にいる他の人にのみ知覚されるように、ある人に近い位置に投影することができる。
【００２５】
ディスプレイは上記の２つ以上の様々な組み合せであり得る。表示形式は、オブジェクトを示す様々な人の必要や要望に合わせて特別に仕立てることができる。
【００２６】
ディスプレイは、視覚手段、聴覚手段、触覚手段のような、人に知覚できるすべてのデータ出力手段であり得る。ディスプレイはそれらの手段の組み合せであってもよい。ディスプレイは、ロボットの運動により達成することができる。データ出力手段は、オブジェクトを示す様々な人の必要や要望に合わせて特別に仕立てることができる。
【００２７】
表示信号は、クエリコンポーネントを有し得る。クエリコンポーネントは人によって生じさせることができる。多くのクエリコンポーネントを多くの人によりまとめて生じさせることができる。クエリコンポーネントは、商品に関する「どんな色が利用可能か？」というクエリや、オブジェクトの他の展示物に関連するクエリのような、示されたオブジェクトに関する様々な特定の返答データを要求することができる。第１の注釈データは、第１の返答データを表わす返答コンポーネントを有し得る。
【００２８】
クエリコンポーネントは、オブジェクトコード化データソースからの光を検出するために、私的イメージャを操作する人により生じさせることができる。オブジェクトコード化データソースからの光が検出されると、イメージャは人に、様々なデータ入力手段のうちのいずれかによりクエリコンポーネントを生じさせる機会を与えることができる。
【００２９】
人コード化データソースからの光が公的イメージャによって検出されるように、クエリコンポーネントは人コード化データソースを操作する人により生じさせることができる。人コード化データソースは、カラーバンドを備えた図２に示したような形式を有し得る。従って、クエリコンポーネントは、例えば、人コード化データソースカラーバンドの少なくとも１つの少なくとも一部を暗くすることにより例えば生じさせることができる。
【００３０】
情報システムは、上記の手段の２つ以上を使用できるように適合することができる。情報システムは、クエリコンポーネントや、任意の第２のクエリコンポーネントが、上記の手段の様々な組み合わせにより生じるように、適合することができる。
【００３１】
人コードが人を識別するコンポーネントを有する場合、クエリには、人に特に関連するオブジェクトについての注釈データにより応答することができる。
【００３２】
イメージャは、２００１年４月３０日に出願された国際特許出願ＰＣＴ　ＵＳ／０１／１３７４２のデュアルモードイメージャであってもよい。図２に示されたコード化データソースはデュアルモードイメージャとよく合う形式である。バンド４２，４４は赤外線光を逆反射する。デュアルモードイメージャの位置指定モードはこれらのバンドを検出する。デュアルモードイメージャの反応モードは、視野からの他の光よりも領域４３からの光を検出する。バンド４４は、方向を定義するバンド４１よりも幅広い。他のイメージャとコード化データソースの他の形式を使用することができる。
【００３３】
イメージャは、デュアルモードでも別のものでもよいが、空間で分かれたコンポーネントを有し得る。これは視野を拡大させることができる。これはコード化データソースの空間的位置の決定を促進することができる。イメージャは、コード化データソースからの光の物理的性質のある範囲の値の部分を選択的に検出するいくつかの要素を有することができ、いくつかのイメージャ要素によって検出されたいくつかの部分はコード化データソースのイメージを形成せずに光の物理的性質の全範囲を検出するために結合される。
【００３４】
コード化データソースからの光は、周囲のソースから反射された光、コード化データソース光源、適切な放射線によるエネルギー付与後に発せられた光、特定の減衰時間の適切な放射線によるエネルギー付与後に発せられた光、コード化データソースを照射するイメージャに隣接する光源、これらの２つ以上の組み合せ、のような様々なソースを有し得る。
【００３５】
光は可視光線に限定されない。例えば、赤外線を使用することができ、ミリメートルやより長い波長を使用することができる。光は、本明細書で要求された機能を提供できる電磁スペクトルの任意の部分からのエネルギーを放射することができる。本明細書で要求された機能を提供できる他の形式のエネルギー（例えば音響エネルギー）は、本明細書では「光」の意味に含まれている。
【００３６】
ここで、第１のプロダクト部分から第２のプロダクト部分までの「信号」と、第１のプロダクト部分は第２のプロダクト部分と「信号接続」していることは、本明細書全体にわたって、第１のプロダクト部分の第１の物理的状態が第２のプロダクト部分の第２の物理的状態を引き起こすことを意味する。これは、様々な直接の原因手段によって生じ、様々な送信手段のうちのいずれによっても生じ得る。送信信号は、無線や、ワイヤ、ケーブルおよびファイバーを介したエネルギー伝送の種々のポイント・ツー・ポイントと放送形式のいずれであってもよい。送信信号のある部分は、送信信号のある形式で存在することができ、ある部分は、送信信号の第２の形式で存在することができ、またある部分は、送信信号の様々な組み合わせで存在することができる。
【００３７】
本明細書ではいくつかの原因は、様々な処理モードのいずれを介しても作用することができる。処理は、固定回路のような構成された処理要素を利用してもよいし、フィールドプログラム可能なゲートアレイやニューラルネットワークのような構成された処理要素を利用してもよいし、データ担持媒体の命令を利用してもよいし、これらの組み合せを利用してもよい。処理はスタンドアロンであり、ローカル情報システムを介して作用してもよいし、ネットワークにつながれた情報システムを介して作用してもよいし、これらの組み合わせを介して作用してもよい。処理の少なくとも一部は、イメージャの一部であり得る。
【図面の簡単な説明】
【図１】プロダクトの略図。
【図２】コード化データソースからの光の例。
【図１】
2004507811.tif 000003
【国際公開パンフレット】
2004507811.tif 000004
2004507811.tif 000005
2004507811.tif 000006
2004507811.tif 000007
2004507811.tif 000008
2004507811.tif 000009
2004507811.tif 000010
2004507811.tif 000011
2004507811.tif 000012
2004507811.tif 000013
2004507811.tif 000014
2004507811.tif 000015
2004507811.tif 000016
2004507811.tif 000017
2004507811.tif 000018
2004507811.tif 000019
【国際公開パンフレット（コレクトバージョン）】
2004507811.tif 000020
【国際調査報告】
2004507811.tif 000021